(57)【要約】【課題】枠材の連結に際してねじ止めを不要とするとともに、収納した展示物の取り外しを必要に応じて阻止できるようにする。【解決手段】裏面側に中空溝２３を有した４本の枠材２１が、これらの端部に差し込まれる連結部材３１で連結される額縁１１のコーナ連結構造において、連結部材３１が、接着剤による接着と嵌合により枠材２１を分離不可に連結固定できるように形成され、この連結部材３１で連結されたコーナ部分１１ａに、枠材２１の裏面側から取り付けられて枠材２１同士の連結状態を保つ結合板４１を備える。この結合板４１は、枠材２１の裏面を覆うとともに収納した裏板５１を保持する平面視略三角形状であるとともに、連結部材３１の差込嵌合部３２の遊端側の端面よりも外側に対応する部位に、枠材２１の中空溝２３の開口２４に係止する係止突起４３を有する。結合板４１には、枠材２１から分離不可のものと、可能なもののいずれかを選択して用いる。【選択図】図１
2012045261.tif 000002
【特許請求の範囲】
【請求項１】
長手方向に延びる中空溝を内部に有した複数本の枠材が、これら枠材の端部に差し込まれる連結部材によって枠材の端面同士を突き合わせた状態で連結される額縁のコーナ連結構造であって、
前記連結部材が、前記中空溝に差し込まれて嵌合し、連結される枠材間の位置関係を規制する差込嵌合部を有し、
前記連結部材による連結で形成されるコーナ部分に、前記枠材の裏面側から取り付けられて枠材同士の連結状態を保つ結合板を備えるとともに、
該結合板は、前記枠材の裏面とこれらの間の領域を覆う本体板部を有し、
該本体板部における枠材の裏面を覆う部分であって前記連結部材の差込嵌合部の遊端側の端面よりも外側に対応する部位に、前記枠材の中空溝の開口に係止する係止突起が形成された
額縁のコーナ連結構造。
【請求項２】
前記連結部材が、前記枠材に対する差込嵌合部の嵌合と接着剤の接着により固定されるものである
請求項１に記載の額縁のコーナ連結構造。
【請求項３】
前記連結部材の差込嵌合部には、前記開口に嵌合する嵌合段部が形成された
請求項１または請求項２に記載の額縁のコーナ連結構造。
【請求項４】
前記結合板の本体板部における前記枠材で挟まれる部分における裏板に対向する面に、裏板を押える裏板押え突部が形成された
請求項１から請求項３のうちのいずれか一項に記載の額縁のコーナ連結構造。
【請求項５】
前記係止突起における前記中空溝の開口に係止する係止爪の先端縁が先鋭である
請求項１から請求項４のうちのいずれか一項に記載の額縁のコーナ連結構造。
【請求項６】
前記係止突起における前記中空溝の開口に係止する係止爪の先端縁が角アールを有する
請求項１から請求項４のうちのいずれか一項に記載の額縁のコーナ連結構造。
【発明の詳細な説明】
【技術分野】
【０００１】
この発明は、例えば写真などの展示物を展示するための額縁に関し、より詳しくは、ねじ止めを要せずに組み立てられる額縁のコーナ連結構造に関する。
【背景技術】
【０００２】
額縁、特にアルミ額を構成するための枠材は、Ｌ字型の金具で連結されていた。すなわち、Ｌ字型をなす金具の両端側を、それぞれ連結すべき枠材の端部に挿入し、枠材の端面同士を突き合わせた状態にして金具を枠材に固定するのである。この金具の固定は、ねじの螺合によって行われていた。
【０００３】
しかし、ねじを用いての固定は手間のかかる作業であった。しかも、長方形状の額縁の場合、少なくとも合計８箇所はねじ止め作業をしなければならず、面倒であった。そのうえ、ねじ止めの場合、一度締め付けた後に外力がかかって連結された枠体間に離間方向のずれが一旦起こると、緩みが生じて、この緩みは枠材の一部が磨り減ることによって起こるので、修復はできない。
【０００４】
このため、下記特許文献１のような連結金具が提案されている。この連結金具は、枠材の端面から離間した位置に形成された凹溝に対して着脱自在である突出片を備えたものである。
【０００５】
しかし、枠材に凹溝が必要であると、製造工数が増え、コスト増につながる。
【０００６】
また、凹溝の形成位置には、高い精度が要求され、精度が得られないと枠材の端面間に隙間ができてガタついたりする上に、見栄えが悪い。
【０００７】
さらに、凹溝に嵌まる突出片は、凹溝に対して着脱自在であるので、額縁に保持した展示物の勝手な取り外しを規制できない。
【先行技術文献】
【特許文献】
【０００８】
【特許文献１】特許第３５０３４２３号公報
【発明の概要】
【発明が解決しようとする課題】
【０００９】
そこで、この発明は、ねじ止めを不要とするガタつきのない連結構造が製造コストを抑えながら可能で、必要に応じて展示物の取り外しを規制することもできるようにすることを主たる課題とする。
【課題を解決するための手段】
【００１０】
そのための手段は、長手方向に延びる中空溝を内部に有した複数本の枠材が、これら枠材の端部に差し込まれる連結部材によって枠材の端面同士を突き合わせた状態で連結される額縁のコーナ連結構造であって、前記連結部材が、前記中空溝に差し込まれて嵌合し、連結される枠材間の位置関係を規制する差込嵌合部を有し、前記連結部材による連結で形成されるコーナ部分に、前記枠材の裏面側から取り付けられて枠材同士の連結状態を保つ結合板を備えるとともに、該結合板は、前記枠材の裏面とこれらの間の領域を覆う本体板部を有し、該本体板部における枠材の裏面を覆う部分であって前記連結部材の差込嵌合部の遊端側の端面よりも外側に対応する部位に、前記枠材の中空溝の開口に係止する係止突起が形成された額縁のコーナ連結構造である。
【００１１】
前記連結部材は前記枠材に対して取り外し可能に嵌合されるものであってもよいが、接着、圧入または嵌め殺しによって抜け止めできるように固定されるのが好ましい。
【００１２】
この構成によると、前記連結部材の差込嵌合部を枠材の中空溝に嵌合することで枠材の連結ができる。そして、このように連結されたコーナ部分に前記結合板を取り付けることで、前記連結状態をさらに保持するとともに、結合板の本体板部における枠材間の領域に対応する部分は、保持した展示物の脱落を防止する。
【００１３】
前記結合板の取り付けは、結合板における連結部材の差込嵌合部を挟む位置に形成された係止突起の係止でなされ、この係止突起は開口の長手方向には相対移動可能である。しかし、前記連結部材による枠材の連結が分離不可になされた場合には、結合板の脱落も防止でき、結合板の取り付けを分離不可に行えば、保持した展示物の、所有者の意に反した勝手な取り外しを防止できる。結合板の取り付けを分離不可に行うためには、前記係止突起における前記中空溝の開口に係止する係止爪の先端縁が先鋭であるとよい。
【００１４】
また、連結部材による枠材の連結が着脱可能になされた場合でも、その着脱可能な構成が、弾性部分を変位させたときに分離できる構成であって、その弾性部分を結合板の本体板部が覆う構成であるならば、前記と同様に結合板の取り付けを分離不可に行えば、保持した展示物の、所有者の意に反した勝手な取り外しを防止できる。
【００１５】
一方、結合板の取り付けを着脱自在にすると、連結部材による連結が分離可能であるか否かにかかわりなく、展示物の着脱は自由にできることになる。結合板の取り付けを着脱可能に行うためには、前記係止突起における前記中空溝の開口に係止する係止爪の先端縁が角アールを有するものであればよい。
【発明の効果】
【００１６】
この発明によれば、連結部材が差込嵌合部を有するので、組立てに当たってねじ止めを不要にすることができ、ガタつきのない連結構造も得られる。
【００１７】
また、連結部材の嵌合状態を維持する特別な構造を枠材に設ける必要がなく、この場合には製造工数を少なくしてコストを抑えることができる。
【００１８】
さらに、結合板には、枠材の裏面を覆う部分のほかに枠材の間の領域をも覆う本体板部を備えたので、別途に裏板押えを備えなくとも、展示物の保持が可能である上に、少なくとも結合板を分離不可にすることで、保持した展示物が取り外されてしまうことを、必要に応じて防止できる構造とすることができる。
【図面の簡単な説明】
【００１９】
【図１】額縁の裏面を示す一部分解平面図。
【図２】額縁のコーナ部分の裏面の拡大平面図。
【図３】図２のＡ−Ａ断面図とＢ−Ｂ断面図。
【図４】枠材の連結構造を示す平面図。
【図５】枠材と連結部材の斜視図。
【図６】結合板の斜視図と断面図。
【図７】結合板の作用状態を示す説明図。
【図８】展示物の収納の仕方を示す説明図。
【図９】他の例に係る枠材と連結部材の斜視図。
【発明を実施するための形態】
【００２０】
この発明を実施するための一形態を、以下図面を用いて説明する。  
図１は、額縁１１の裏面を示す一部分解平面図であり、図２は、額縁１１のコーナ部分１１ａの裏面の拡大平面図、図３は図２のＡ−Ａ断面図とＢ−Ｂ断面図である。
【００２１】
これらに示すように額縁１１は、４本の枠材２１がこれら枠材２１の端部に差し込まれる連結部材３１によって枠材２１の端面同士を突き合わせた状態で連結される構造であって、前記連結部材３１の他に結合板４１も備える。
【００２２】
前記枠材２１は、アルミニウム製で長尺棒状をなし、図３に示したように、その断面において裏面側の裏側部２２は略横Ｃ字状に形成され、長手方向に延びる中空溝２３を内部に有する。この中空溝２３は、枠材２１の裏面で開口し、この開口２４は、長手方向に一定の幅で延びるものである。
【００２３】
また、前記裏側部２２の表面側には、表面側に延びたのち前記裏側部２２の左右方向の一方において裏側に向けて延びる表側部２５が形成されている。この表側部２５の先端は、展示物、具体的には、重ねられた裏板５１と展示物５２と表板５３とからなる積層体のうちの前記表板５３を受ける受け部２６である。
【００２４】
そして、枠材２１の端部は、前記表側部２５の受け部２６が形成される側に４５度の角度で傾斜するように切断されており、４本の枠材２１が方形状に組み付けられるように構成されている（図４参照）。
【００２５】
前記連結部材３１は、合成樹脂製で、図４、図５に示したように、平面視において直角をなすＬ字状に形成されている。９０度の角度をあけて両側に延びる部分は、前記枠体２１の中空溝２３に収まる部分で、これは中空溝２３内にぴたりと収まりガタつかない大きさに形成された差込嵌合部３２である。すなわち、連結部材３１は、前記中空溝２３に差し込まれて嵌合し、連結される枠材２１間の位置関係を規制する前記差込嵌合部３２を有する。
【００２６】
また、差込嵌合部３２においては枠材２１の前記開口２４に対応する部位に、開口２４に嵌合する嵌合段部３３が形成されている。嵌合段部３３の高さは、枠材２１に差し込んだときに枠材２１の裏面から突出せず、面一になる高さである。
【００２７】
前記結合板４１は、合成樹脂製で、平面視において、図６（ａ）にも示すように略三角形状に形成されている。この結合板４１は、前記連結部材３１による連結で形成される前記コーナ部分１１ａに、前記枠材２１の裏面側から取り付けられて枠材２１同士の連結状態を保つとともに、前記裏板５１を押えるものである。
【００２８】
このため、結合板４１は、前記枠材２１の裏面とこれらの間の領域を覆う本体板部４２を有する。この本体板部４２の下面は、枠材２１の裏面に面接触する部分である。
【００２９】
そして、本体板部４２における枠材２１の裏面を覆う部分であって、前記連結部材３１の差込嵌合部３２の遊端側の端面よりも外側に対応する部位、すなわち本体板部４２における直角をなす２辺の両端部側の部位に、前記枠材２１の中空溝２３の開口２４に係止する係止突起４３が形成されている。
【００３０】
係止突起４３は適宜長さに形成され、係止突起４３の幅方向の中間部に弾性変位のための隙間４４が設けられている。
【００３１】
そしてこの係止突起４３には、幅方向外側に向けて突出する係止爪４５が形成されている。この係止爪４５が開口２４の下の縁に引っ掛かる部分である。
【００３２】
結合板４１は、２種類あり、一方は、枠材２１に対して係止突起４３を係止すると分離不可となるもので、他方は、枠材２１に対して着脱自在とするものである。このため、図６（ｂ），（ｃ）に示したように、係止突起４３における中空溝２３の開口２４に係止する係止爪４５の先端縁が先鋭である結合板４１（図６（ｂ）参照）と、係止爪４５の先端縁が角アール部４５ａを有する結合板４１（図６（ｃ）参照）とを備える。これらいずれの結合板４１を使用するかは、所望する使用状態に応じて適宜選択される。なお、２種類の結合板４１が分離不可とするものであるか、着脱可能とするものであるかを容易に識別するため、外観上判別できるようにするのが好ましい。識別のための構成は、例えば色分けや、模様・記号等の付与などで行える。
【００３３】
また、このような係止突起４３よりも外側部位であって端面に限りなく近い部位には、枠材２１の開口２４から中空溝２３内に入る邪魔突起４６が形成されている。
【００３４】
この邪魔突起４６は、枠材２１に取り付けられたときに係止突起４３を隠蔽するとともに、係止した後にこじ開ける端緒となる引っ掛かりをなくすためのものである。
【００３５】
さらに、結合板４１の本体板部４２における前記枠材２１で挟まれる部分における裏板５１に対向する面に、裏板５１を押える裏板押え突部４７が突設されている（図３参照）。具体的には、直角をなす２辺に対して傾斜する傾斜片の縁に、下に向けて適宜長さ突出する１本の前記裏板押え突部４７が形成されている。
【００３６】
このように構成された額縁１１は、まず図４に示したように、連結部材３１の差込嵌合部３２に接着剤３４を塗布して枠材２１の端部における中空溝２３に嵌合する。すなわち、差込嵌合部３２の嵌合と接着剤３４の接着によって、枠材２１を分離不可に連結する。連結部材３１は、中空溝２３と開口２４に嵌まり込んで、嵌合段部２３の上面を開口２４から露出するだけの状態となり、連結される枠材２１の端面は互いに当接し合った状態となって、強固で美麗な連結状態が得られる。
【００３７】
このあと、図８に示したように、方形枠状に連結された枠材２１の内側に、表板５３と展示物５２と裏板５１、必要によってはマット（図示せず）を重ねたものを収納してから、図１に示したように結合板４１をコーナ部分１１ａに取り付ける。
【００３８】
このとき、所望する使用状態に応じて、取り付ける結合板４１を選ぶ。
【００３９】
収納した展示物５２を取り外せないような使用状態を望む場合には、係止爪４５の先端縁が先鋭の結合板４１を四隅のコーナ部分１１ａに固定する。
【００４０】
この固定状態では、図７（ａ）に示したように、係止爪４５の先端縁が先鋭で分離が不可能であるので、結合板４１を枠材２１から剥がすように力を加えて分離しようとしても、外すことはできない。しかも、結合板４１は前記邪魔突起４６を備えているので、前記のように引っ掛かりとなる部分はなく、ドライバなどの治具を用いても外すことはできない。
【００４１】
このため、結合板４１はコーナ部分１１ａに存在することになり、結合板４１の本体板部４２が、連結された枠材２１の間の領域を覆う部分を有するため、展示物５２を外すことはできない。つまり、結合板４１は、連結部材３１と接着剤３４とによる枠材２１の連結状態が解除できない構成であることとの協働で、所有者の意に反して勝手に展示物５２を外されたりすることを阻止できる。
【００４２】
一方、収納した展示物５２をあとで取り外せるような使用状態を望む場合には、係止爪４５の先端縁が角アール部４５ａを有する結合板４１を四隅のコーナ部分１１ａに固定する。
【００４３】
この固定状態では、図７（ｂ）に示したように、係止爪４５の先端縁が角アール部４５ａを有し分離可能である。つまり、結合板４１を枠材２１から剥がすように力を加えれば、結合板４１をコーナ部分１１ａから外せる。このため、展示物５２を外すのを阻害する部分を有する結合板４１はなくなるので、展示物５２を外すことができる。例えば展示物５２の入れ替え等が自由にできることになる。
【００４４】
以上のように、枠材２１の連結は、基本的には枠材２１内に嵌め込まれる連結部材３１によって行われ、結合板４１がその連結状態を補強する。しかも、連結部材３１の嵌め込まれる部分は中空溝にぴったりと嵌まる大きさで枠材２１間の位置関係を規制する差込嵌合部３２であり、その差込嵌合部３２は嵌合段部３３も有するので、枠材２１の連結にあたってねじ止め作業は不要で、単に差し込むだけでよい。
【００４５】
このため、ねじ止めしたときのように、あとでガタつきが発生したりすることはなく、強固な連結状態が得られ、外観も美麗である。そのうえ、接着剤３４での固定も併用するので、分離不可能な枠材２１の連結状態を維持できる。そして、枠材２１が分離不可能な状態であるので、結合板４１の係止突起４３による取り付け状態を分離不可とした場合には、展示物５２の取り外しを不可能とする使用が可能となる。
【００４６】
また、連結部材３１を固定するための切欠き等の構成を枠材２１に設ける必要はないので、製造工数を少なくしてコストを抑えることができる。
【００４７】
さらに、結合板４１は、平面視略三角形状に形成され、枠材２１の裏面を覆う部分のほかに枠材２１の間の領域も覆う本体板部４２を有するので、裏板押えを別途に設けずとも展示物５２の保持が可能である。
【００４８】
しかも、その本体板部４２に、裏板押え突部４７が形成されているので、展示物５２を安定して保持することが可能となる。
【００４９】
さらにまた、２種類の結合板４１を備えて選択して使用できるようにしたので、必要に応じて前述の如く展示物５２の取り外しを不可とする使用が可能となる。この場合、特に、結合板４１は邪魔突起４６を有するので、結合板４１の取り外し防止の完全度を高めることができる。
【００５０】
以下、他の例について説明すると、前記連結部材３１による枠材２１の連結は、図示しないが、圧入によって行うように構成してもよい。
【００５１】
また、嵌め殺しによって行ってもよい。そのためには、例えば図９（ａ）に示したように、枠材２１の開口２４の縁の一部を切欠いて係止凹部２７を設け、この係止凹部２７に係止する係止凸部３５を連結部材３１の嵌合段部３３の両側面に設けるとよい。
【００５２】
さらに、例えば図９（ｂ）に示したように、連結部材３１の差込嵌合部３２の上面に板ばねを固定して抜け止めばね部３６を形成するとともに、枠材２１の対応部位には抜け止めばね部３６が係止する係止穴２８を形成して、連結部材３１による枠材２１の連結を分離可能とした場合であっても、前述のように展示物５２の取り外しを不可とする使用状態を得ることが可能である。すなわち、抜け止めばね部３６を押下すれば連結部材３１を枠材２１から抜くことができる構造であるが、抜け止めばね部３６を有する部分が結合板４１で被覆されているので、結合板４１が前述のように取り外し不可能であるならば、抜け止めばね部３６を押下することはできないので、結局、展示物５２の取り外しができない使用状態を得られる。
【００５３】
前記構成は、この発明を実施するための一形態であって、この発明は前記構成のみに限定されるものではなく、その他の構成を採用することもできる。
【００５４】
例えば、裏板を押える裏板押え部材を別途に用いてもよい。この場合、結合板の裏板押え突部を省略することができる。
【符号の説明】
【００５５】
１１…額縁
１１ａ…コーナ部分
２１…枠材
２３…中空溝
２４…開口
３１…連結部材
３２…差込嵌合部
３３…嵌合段部
３４…接着剤
４１…結合板
４２…本体板部
４３…係止突起
４５…係止爪
４５ａ…角アール部
４７…裏板押え突部
【図１】
2012045261.tif 000003
【図２】
2012045261.tif 000004
【図３】
2012045261.tif 000005
【図４】
2012045261.tif 000006
【図５】
2012045261.tif 000007
【図６】
2012045261.tif 000008
【図７】
2012045261.tif 000009
【図８】
2012045261.tif 000010
【図９】
2012045261.tif 000011